(57)【特許請求の範囲】
【請求項１】
表示装置の調光をおこなう表示制御装置であって、
前記表示装置に表示する画像の種別が静止画像であるか動画像であるかを判別する画像判別手段と、
前記画像判別手段が判別した画像の種別が動画像である場合に、該動画像についての同期信号を発生させる同期信号発生手段と、
前記表示する画像１フレームの平均輝度を当該画像の画像輝度として検出する画像輝度検出手段と、
前記画像判別手段が判別した画像の種別に応じた異なるサンプリング周期で外光照度を検出する外光照度検出手段と、
前記画像輝度検出手段が検出した画像輝度とともに、前記外光照度検出手段が検出した外光照度に基づいて、前記画像判別手段が判別した画像種別に応じた異なるタイミングで前記表示装置の表示輝度を制御する調光手段と、を備え、
前記外光照度検出手段は、前記画像の種別が動画像であると判別された場合は、前記同期信号に基づくサンプリング周期で外光照度の検出をおこない、
前記調光手段は、前記画像の種別が動画像であると判別された場合は、前記外光照度検出手段による外光照度の検出タイミングで表示輝度制御をおこない、前記画像の種別が静止画像であると判別された場合は、前記外光照度検出手段が検出した外光照度の変化が閾値以上となったタイミングで、該検出された外光照度に基づいた表示輝度制御をおこなう、
ことを特徴とする表示制御装置。
【請求項２】
前記同期信号発生手段は、前記動画像のフレーム切替タイミングで前記同期信号を発生し、
前記画像輝度検出手段は、前記同期信号に基づき、前記動画像のフレーム画像毎に表示輝度を検出する、
ことを特徴とする請求項１に記載の表示制御装置。
【請求項３】
前記同期信号発生手段は、前記動画像がフレーム間差分符号化方式で符号化されている場合、イントラ符号化がおこなわれたフレームを表示したタイミングで前記同期信号を発生する、
ことを特徴とする請求項１に記載の表示制御装置。
【請求項４】
前記同期信号発生手段は、前記画像輝度検出手段が検出した画像輝度が変化した場合に前記同期信号を発生する、
ことを特徴とする請求項１に記載の表示制御装置。
【請求項５】
前記表示装置は、バックライトを備えた液晶表示装置であり、
前記調光手段は、前記バックライトの光量を制御することで、前記表示輝度を制御する、
ことを特徴とする請求項１乃至４のいずれか１項に記載の表示制御装置。
【請求項６】
表示装置の調光をおこなう表示制御装置を制御するコンピュータに、
前記表示装置に表示する画像の種別が静止画像であるか動画像であるかを判別する画像判別手順と、
前記画像の種別が動画像であると判別された場合、当該動画像についての同期信号を発生する同期信号発生手順と、
前記表示する画像１フレームの平均輝度を当該画像の画像輝度として検出する画像輝度検出手順と、
前記画像の種別が動画像であると判別された場合、前記同期信号に基づくタイミングで外光照度を検出し、当該外光照度の検出タイミングで、該検出した外光照度と、前記画像輝度検出手順で検出された画像輝度とに基づいて、前記表示装置の表示輝度を制御する動画像時調光手順と、
前記画像の種別が静止画像であると判別された場合、検出された外光照度の変化が閾値以上となったタイミングで、該検出された外光照度と、前記画像輝度検出手順で検出された画像輝度とに基づいて、前記表示装置の表示輝度を制御する静止画像時調光手順と、
を実現させることを特徴とするプログラム。
【発明の詳細な説明】
【技術分野】
【０００１】
本発明は、表示制御装置に関し、特に、良好な画面表示と低消費電力化を実現する表示制御装置に関する。
【背景技術】
【０００２】
携帯電話などの移動体通信端末をはじめとする携帯型電子機器には、主に液晶表示装置などから構成される表示部が備えられており、画像表示などに用いられている。このような携帯型電子機器では、画像表示技術の発達により、種々の画像を高品位に表示することができ、例えば、移動体通信端末などでは、静止画像のみならず動画像（例えば、撮影したムービー画像やテレビ放送など）の表示も可能となっている。
【０００３】
このような携帯型電子機器は、使用場所が固定的でないため、表示画像を見る環境が一定ではない。携帯型電子機器の多くに採用されているバックライトを用いた液晶表示装置の場合、周辺環境の明るさが表示画面の見やすさに影響するため、使用環境によって表示画像の視認性が大きく異なる。例えば、屋内のような明るさでは良好な視認性を得ることができても、晴天時の屋外などといったより明るい場所では、表示パネルでの外光反射などが影響して、表示画像の視認性が著しく低下してしまう場合がある。
【０００４】
このような不都合を解消するため、表示パネル周辺の輝度を検出し、検出された輝度に基づいてバックライトの輝度制御をおこなう手法が提案されている（例えば、特許文献１）。
【特許文献１】特開２００１−３５０１３４号公報
【発明の開示】
【発明が解決しようとする課題】
【０００５】
しかしながら、特許文献１の手法では、表示画像の種類に拘わらずバックライトの輝度を一律に調整しているので、暗い場所では白色部分が沈みがちになる一方、明るい場所では黒色部分が浮き気味になるなどといった画質の低下が生じる。このため、特許文献１の手法では、画像の種類に応じてガンマ補正処理をおこなうことでコントラストを高めている。このような付加的な処理が必要となるため、特許文献１の手法では、表示動作時の処理負荷が高くなり、表示動作にかかる消費電力が増大する他、表示応答性の低下なども起こりうる。
【０００６】
特に、表示装置は、携帯型電子機器の構成要素の中で比較的消費電力の高い部分であるため、表示動作にかかる消費電力の増大は、機器全体の電力消費に大きく影響する。近時の移動体通信端末などでは、多機能化によって全体的な消費電力が増大する傾向にある一方、より長いバッテリ駆動時間も求められているので、表示性能の向上と低消費電力化を効果的に両立する手法の確立が望まれている。
【０００７】
本発明は、上記実状に鑑みてなされたものであり、良好な画面表示と低消費電力化を両立した表示制御装置を提供することを目的とする。
【課題を解決するための手段】
【００１０】
上記目的を達成するため、本発明の第１の観点にかかる表示制御装置は、
表示装置の調光をおこなう表示制御装置であって、
前記表示装置に表示する画像の種別が静止画像であるか動画像であるかを判別する画像判別手段と、
前記画像判別手段が判別した画像の種別が動画像である場合に、該動画像についての同期信号を発生させる同期信号発生手段と、
前記表示する画像１フレームの平均輝度を当該画像の画像輝度として検出する画像輝度検出手段と、
前記画像判別手段が判別した画像の種別に応じた異なるサンプリング周期で外光照度を検出する外光照度検出手段と、
前記画像輝度検出手段が検出した画像輝度とともに、前記外光照度検出手段が検出した外光照度に基づいて、前記画像判別手段が判別した画像種別に応じた異なるタイミングで前記表示装置の表示輝度を制御する調光手段と、を備え、
前記外光照度検出手段は、前記画像の種別が動画像であると判別された場合は、前記同期信号に基づくサンプリング周期で外光照度の検出をおこない、
前記調光手段は、前記画像の種別が動画像であると判別された場合は、前記外光照度検出手段による外光照度の検出タイミングで表示輝度制御をおこない、前記画像の種別が静止画像であると判別された場合は、前記外光照度検出手段が検出した外光照度の変化が閾値以上となったタイミングで、該検出された外光照度に基づいた表示輝度制御をおこなう、
ことを特徴とする。
【００１１】
上記表示制御装置において、
前記同期信号発生手段は、前記動画像のフレーム切替タイミングで前記同期信号を発生することが望ましく、この場合、
前記画像輝度検出手段は、前記同期信号に基づき、前記動画像のフレーム画像毎に表示輝度を検出することが望ましい。
【００１２】
上記表示制御装置において、
前記同期信号発生手段は、前記動画像がフレーム間差分符号化方式で符号化されている場合、イントラ符号化がおこなわれたフレームを表示したタイミングで前記同期信号を発生してもよい。
【００１３】
上記表示制御装置において、
前記同期信号発生手段は、前記画像輝度検出手段が検出した画像輝度が変化した場合に前記同期信号を発生してもよい。
【００１７】
上記表示制御装置において、
前記表示装置は、バックライトを備えた液晶表示装置とすることができ、この場合、
前記調光手段は、前記バックライトの光量を制御することで、前記表示輝度を制御することが望ましい。
【００１８】
さらに、上記目的を達成するため、本発明の第２の観点にかかるプログラムは、表示装置の調光をおこなう表示制御装置を制御するコンピュータに、
前記表示装置に表示する画像の種別が静止画像であるか動画像であるかを判別する画像判別手順と、
前記画像の種別が動画像であると判別された場合、当該動画像についての同期信号を発生する同期信号発生手順と、
前記表示する画像１フレームの平均輝度を当該画像の画像輝度として検出する画像輝度検出手順と、
前記画像の種別が動画像であると判別された場合、前記同期信号に基づくタイミングで外光照度を検出し、当該外光照度の検出タイミングで、該検出した外光照度と、前記画像輝度検出手順で検出された画像輝度とに基づいて、前記表示装置の表示輝度を制御する動画像時調光手順と、
前記画像の種別が静止画像であると判別された場合、検出された外光照度の変化が閾値以上となったタイミングで、該検出された外光照度と、前記画像輝度検出手順で検出された画像輝度とに基づいて、前記表示装置の表示輝度を制御する静止画像時調光手順と、
を実現させることを特徴とする。
【発明の効果】
【００１９】
本発明によれば、画像種別に応じたタイミングで表示輝度の制御をおこなうので、良好な画面表示と消費電力の低減を両立させることができる。
【発明を実施するための最良の形態】
【００２０】
以下、本発明にかかる実施形態を、図面を参照して説明する。本実施形態では、本発明にかかる携帯型電子機器を移動体通信端末によって構成した場合を説明する。本実施形態にかかる移動体通信端末１は、例えば、携帯電話やＰＨＳ（Personal Handyphone System）等といった移動体通信用の端末装置（電話機）であり、本実施形態では、動画像を含む画像表示機能を備えているものとする。
【００２１】
このような移動体通信端末１の構成を、図１を参照して説明する。図１は、本発明の実施形態に係る移動体通信端末１の構成例を示すブロック図である。図示するように、本実施形態にかかる移動体通信端末１は、通信制御部１０、カメラ部２０、操作部３０、表示部４０、外光センサ５０、記憶部６０、ホストコントローラ１００、表示制御部２００、などから構成されている。
【００２２】
通信制御部１０は、移動体通信端末１の基本機能である通信機能にかかる動作をおこなうものであり、例えば、ＣＤＭＡ（Code Division Multiple Access：符号分割多重接続）方式などの通信方式を用いた通信装置などで構成され、当該通信方式に対応したアンテナ１１による無線送受信をおこなうことで、近傍の基地局と無線通信をおこなう。
【００２３】
通信制御部１０はまた、例えば、音声処理をおこなうコーデック回路などを備え、音声通話にかかる音声処理をおこなう。すなわち、受信した音声データをアナログ信号に変換してスピーカ１２から出力する他、マイクロフォン１３から入力された送話音声をデジタルデータに変換して送信に供する。
【００２４】
カメラ部２０は、移動体通信端末１の撮像機能を実現するための構成であり、被写体光が入射されるレンズ、レンズによる結像光を電気信号に変換する撮像素子（例えば、ＣＣＤ（Charge Coupled Device：電荷結合素子）など）、撮像素子からの電気信号をデジタル信号に変換するＡＤＣ（Analog-Digital Converter：アナログ−デジタル変換器）、などから構成される。本実施形態では、カメラ部２０による撮像機能により、静止画像を得るスチル撮像機能の他、動画像を得る動画撮像機能が実現されるものとする。
【００２５】
操作部３０は、例えば十字カーソルキーや、数字や文字を入力するための英数字キー、機能などを指定するためのキー等から構成され、移動体通信端末１のユーザによって操作されるものである。操作部３０は、これらのキーが操作されることに応じた入力信号を生成してホストコントローラ１００に入力する。
【００２６】
表示部４０は、移動体通信端末１の画像表示機能を実現するための構成であり、図１に示すように、表示パネル４１とバックライト４２を備えている。
【００２７】
表示パネル４１は、バックライト４２を光源とする一般的な液晶表示装置（ＬＣＤ：Liquid Crystal Display）から構成された表示パネルである。
【００２８】
バックライト４２は、例えば、ＬＥＤ（Light Emitting Diode：発光ダイオード）アレイなどから構成された光源装置であり、表示パネル４１での表示に必要な光源としての発光動作をおこなう。本実施形態では、印加される電流に応じて発光量可変に構成されているものとする。
【００２９】
外光センサ５０は、例えば、光センサから構成され、移動体通信端末１に対する外光照度を検出する。この外光センサ５０は、表示部４０での表示画像の視認性に影響する周辺環境の明るさを検出することを目的とする。よって、外光センサ５０は、表示パネル４１の表示面での外光が検出できる位置に配置されているものとする。この外光センサ５０は、表示制御部２００の制御によって検出動作をおこない、検出した外光照度を示す信号を表示制御部２００に送出する。
【００３０】
記憶部６０は、例えば、ＲＯＭ（Read Only Memory）やフラッシュメモリなどから構成され、ホストコントローラ１００などがおこなう処理に必要なデータやこれらによる処理結果などを記憶する。また、記憶部６０は、ホストコントローラ１００が実行するプログラムを格納する。本実施形態では、図１に示すように、画像格納領域６１やプログラム格納領域６２などの記憶領域が用意される。
【００３１】
画像格納領域６１は、表示部４０に表示させる画像を構成する画像データを格納する。格納される画像データは、例えば、カメラ部２０によって生成された画像データや、外部から取得した画像データなどである。この画像データには、例えば、スチル写真画像などの静止画像データの他、ビデオ映像などの動画像データが含まれるものとする。なお、移動体通信端末１にメモリカードが装着可能である場合、画像格納領域６１は、着脱可能なメモリカード内に構成されてもよい。
【００３２】
プログラム格納領域６２は、ホストコントローラ１００が実行する動作プログラムを格納する。
【００３３】
ホストコントローラ１００は、例えば、ＣＰＵ（Central Processing Unit：中央演算処理装置）やＲＡＭ（Random Access Memory）などから構成されており、移動体通信端末１の各部の動作を制御する。本実施形態では、ホストコントローラ１００が、プログラム格納領域６２に格納されている動作プログラムを実行することで、後述する各処理が実現される。なお、ホストコントローラ１００に構成されるＲＡＭは、ＣＰＵがプログラムを実行する際、ワークメモリとして用いられる。
【００３４】
本実施形態では、図１に示すように、上述した通信制御部１０、カメラ部２０、操作部３０、記憶部６０、および、表示制御部２００がホストコントローラ１００に接続され、ホストコントローラ１００の動作によって制御される。
【００３５】
本実施形態では、例えば、カメラ部２０の撮像動作によって得られた画像の符号化処理や、画像格納領域６１に格納されている画像データを表示パネル４１に表示させる際の復号処理などをホストコントローラ１００がおこなうものとする。ここで、動画像の符号化・復号処理においては、例えば、フレーム間予測符号化方式などといった、一般的な符号化方式が用いられるものとする。
【００３６】
このような動作は、例えば、操作部３０からの入力信号に基づくユーザからの指示に応じて、カメラ部２０の撮像機能に関するアプリケーションや、画像再生に関するアプリケーションなどを実行する際に、ホストコントローラ１００によって実現されるものとする。
【００３７】
本実施形態では、このような符号化・復号処理などにかかる動作を、ホストコントローラ１００がプログラムを実行することで実現されるものとするが、これに限られず、例えば、ＡＳＩＣ（Application Specific Integrated Circuit：特定用途向け集積回路）などのハードウェアによって処理がおこなわれるように構成してもよい。
【００３８】
表示制御部２００は、ホストコントローラ１００からの出力信号を処理し、表示部４０を制御することで画像表示をおこなうための構成である。本実施形態にかかる表示制御部２００は、図２に示すような構成を有している。
【００３９】
図示するように、表示制御部２００は、ホストインタフェース（Ｉ／Ｆ）２１０、動作制御部２２０、表示メモリ２３０、メモリライト制御部２４０、メモリリード制御部２５０、パネル駆動部２６０、バックライト調光部３００、などから構成される。
【００４０】
ホストインタフェース２１０は、表示制御部２００とホストコントローラ１００とを電気的に接続するインタフェースであり、ホストコントローラ１００から送出される、表示対象の画像データを受け付けて入力する。
【００４１】
動作制御部２２０は、例えば、所定の制御回路などから構成され、ホストインタフェース２１０から入力された画像データに基づいて、表示制御部２００の各部を制御する。ここで、動作制御部２２０は、ホストコントローラ１００から取得された画像データの種別が静止画像データであるか動画像データであるかを判別し、判別した画像種別に応じて表示制御部２００の各部を制御する。ここで、画像データの種別は、例えば、取得された画像データのヘッダ情報に基づいて判別できる他、例えば、現在の動作モードや実行中のアプリケーションプログラムの種類などに基づいて判別するものとする。
【００４２】
また、動作制御部２２０は、判別した画像種別に応じて異なる動作タイミングを設定してバックライト調光部３００を制御する。本実施形態では、動画像表示時（すなわち、判別した画像種別が動画像である場合）は、パネル駆動部２６０から送出されるフレーム同期信号を取得し、取得したフレーム同期信号に基づくタイミングでバックライト調光部３００を制御する。また、静止画像表示時（すなわち、判別した画像種別が静止画像である場合）は、少なくとも動画像表示時のフレーム同期信号に基づく動作タイミングよりも長い時間間隔となるタイミング（例えば、１秒〜数秒間隔）でバックライト調光部３００を制御する。
【００４３】
本実施形態では、動作制御部２２０を専用回路によって構成する場合を例示するが、これに限らず、例えば、ホストコントローラ１００がプログラムを実行することで、動作制御部２２０の機能がソフトウェア処理によって実現されるよう構成してもよい。
【００４４】
表示メモリ２３０は、表示パネル４１に表示する画像データを展開するためのメモリ（いわゆるＶＲＡＭ（Video RAM））である。本実施形態にかかる表示メモリ２３０は、図２に示すように、動画像データを展開するための動画像展開領域２３１と、静止画像データを展開するための静止画像展開領域２３２を有している。
【００４５】
本実施形態では、表示メモリ２３０上のアドレスに基づいて動画像展開領域２３１と静止画像展開領域２３２とが論理的に規定されるものとするが、動画像展開領域２３１と静止画像展開領域２３２とが物理的に異なる記憶装置（記憶素子）から構成されていてもよい。
【００４６】
メモリライト制御部２４０は、表示メモリ２３０への画像データの書き込み（展開）を制御する。この場合、メモリライト制御部２４０は、動作制御部２２０の制御により、ホストインタフェース２１０から取得される画像データを動画像展開領域２３１または静止画像展開領域２３２に展開する。すなわち、取得された画像データが動画像データであれば動画像展開領域２３１に展開し、静止画像データであれば静止画像展開領域２３２に展開する。
【００４７】
メモリリード制御部２５０は、表示メモリ２３０からの画像データの読み出し（出力）を制御する。この場合、メモリリード制御部２５０は、動作制御部２２０の制御により、動画像展開領域２３１または静止画像展開領域２３２に展開された画像データを読み出す。すなわち、表示対象の画像データが動画像データであれば動画像展開領域２３１に展開されている画像データを読み出し、静止画像データであれば静止画像展開領域２３２に展開されている画像データを読み出す。
【００４８】
このメモリリード制御部２５０は、表示パネル４１の表示リフレッシュのために、例えば、６０Ｈｚで表示メモリ２３０から画像データを読み出してパネル駆動部２６０とバックライト調光部３００に送出する。
【００４９】
パネル駆動部２６０は、メモリリード制御部２５０が読み出した画像データを表示パネル４１に表示させる処理をおこなう。パネル駆動部２６０は、例えば、液晶パネル（表示パネル４１）のデータ電極を駆動するためのセグメントドライバや走査電極を駆動するためのコモンドライバなどから構成され、入力された画像データを液晶パネルの駆動電圧に変換して表示パネル４１に供給することで、表示パネル４１に画像を表示させる。
【００５０】
また、パネル駆動部２６０は、表示パネル４１での動画像表示にかかるフレーム同期信号を動作制御部２２０に送出する。この場合、パネル駆動部２６０は、動画像データを表示させたときに、フレーム切替タイミングでフレーム同期信号を発生させて動作制御部２２０に送出する。この場合、フレーム同期信号は、例えば、その動画像のフレームレート（例えば、３０ｆｐｓや６０ｆｐｓ）に応じた時間間隔で発生することになる（例えば、約１／６０〜１／３０秒毎）。
【００５１】
バックライト調光部３００は、表示パネル４１に表示する画像の種別（静止画像か動画像か）に応じて、バックライト４２の光量を制御して調光し、表示パネル４１での表示輝度を制御するための構成である。バックライト調光部３００の構成を、図３を参照して説明する。
【００５２】
図３は、バックライト調光部３００の構成を示すブロック図である。図示するように、バックライト調光部３００は、センサ信号変換部３１０、輝度成分抽出部３２０、平均輝度算出部３３０、表示輝度設定部３４０、設定記憶部３５０、光源ドライバ３６０、などから構成される。
【００５３】
センサ信号変換部３１０は、例えば、ＡＤＣ（Analog-Digital Converter：アナログ−デジタル変換器）などによって構成され、外光センサ５０から送出される検出信号（センサ信号）を取得してデジタル信号に変換する。この場合、センサ信号変換部３１０は、外光センサ５０が送出するアナログ信号を所定のサンプリング周期でサンプリングしてデジタル信号に変換する。
【００５４】
また、センサ信号変換部３１０は、動作制御部２２０の制御によって動作する。上述したように、動作制御部２２０は、判別した画像種別に応じたタイミングでセンサ信号変換部３１０を制御するので、センサ信号変換部３１０は、画像種別に応じたタイミングで動作する。すなわち、動作制御部２２０が判別した画像種別が動画像である場合は、当該動画像の表示にかかるフレーム切替タイミングで動作し、静止画像である場合は、予め設定されている所定のタイミング（例えば、１〜数秒間毎）で動作する。
【００５５】
この場合、センサ信号変換部３１０は、動作制御部２２０の制御タイミングで外光センサ５０からの検出信号を取得してサンプリングする。すなわち、動作制御部２２０による制御タイミングをサンプリング周期としたサンプリングをおこなうことになる。センサ信号変換部３１０は、このようなサンプリング周期のサンプリングによって変換したデジタル信号を表示輝度設定部３４０に送出する。すなわち、動作制御部２２０によって判別された画像種別に応じたタイミングで、外光照度を示すデジタル信号が表示輝度設定部３４０に供給されることになる。
【００５６】
輝度成分抽出部３２０は、例えば、所定の演算回路などから構成され、メモリリード制御部２５０から送出された表示対象画像の輝度成分を抽出する。この輝度成分抽出は、既存の画像処理技術で用いられている一般的な手法を用いるものとする。ここで、メモリリード制御部２５０から供給された画像が静止画像である場合は、当該画像の輝度成分を抽出し、動画像である場合は、当該動画像のフレーム画像毎に輝度成分を抽出するものとする。
【００５７】
平均輝度算出部３３０は、例えば、所定の演算回路などから構成され、輝度成分抽出部３２０によって抽出された輝度成分の平均値を算出し、算出値を示す信号を表示輝度設定部３４０に送出する。
【００５８】
表示輝度設定部３４０は、例えば、所定の演算回路などから構成され、外光照度を示す情報をセンサ信号変換部３１０から取得するとともに、画像輝度を示す情報を平均輝度算出部３３０から取得する。そして、取得した情報に基づいて、そのときの外光照度と画像輝度の組み合わせに好適な表示輝度を特定し、特定した表示輝度とするためのバックライト４２の動作電流を設定する。ここで、センサ信号変換部３１０は、動作制御部２２０からの制御に基づく動作タイミングでサンプリングをおこなっているので、表示輝度設定部３４０は、表示する画像種別に応じたタイミングで外光照度を示す情報を取得することになる。
【００５９】
本実施形態では、センサ信号変換部３１０から外光照度を示す情報を取得したタイミングで表示輝度設定部３４０が動作するものとする。したがって、表示輝度設定部３４０は、画像種別に応じたタイミングでバックライト４２の動作電流を設定することになる。本実施形態では、設定記憶部３５０に格納されている設定情報を参照することで、好適な表示輝度となるバックライト４２の動作電流を設定し、設定した動作電流値を示す情報を光源ドライバ３６０に送出する。
【００６０】
設定記憶部３５０は、例えば、半導体記憶装置などから構成され、表示輝度設定部３４０がバックライト４２の動作電流を設定する際に参照する設定情報を格納する。設定記憶部３５０に格納されている設定情報の例を、図４を参照して説明する。
【００６１】
図４（ａ）は、外光センサ５０によって検出された外光照度の値と所定のレベルとを対応づけた「外光レベル対応表」の例を示す。本実施形態では、検出された外光照度の値を所定範囲単位で区分して予めレベルが設定されているものとする。図４（ａ）に示す外光レベル対応表では、外光照度値が低い（すなわち、暗い）順に、１〜５の５段階のレベル（以下、「外光レベル」とする）が設定されているものとする。
【００６２】
図４（ｂ）は、平均輝度算出部３３０によって算出された表示画像の輝度値（輝度成分）と所定のレベルとを対応づけた「画像輝度レベル対応表」の例を示す。本実施形態では、算出された画像輝度の値（例えば、０〜２５５）を所定範囲単位で区分してレベル設定するものとする。図４（ｂ）に示す画像輝度レベル対応表では、画像輝度値が低い（すなわち、暗い）順に、１〜５の５段階のレベル（以下、「画像輝度レベル」）が設定されているものとする。
【００６３】
図４（ｃ）は、外光レベルと画像輝度レベルの組み合わせと、表示輝度レベルおよび動作電流値とを対応づけた「表示輝度レベル対応表」の例を示す。本実施形態では、例えば、表示パネル４１の表示性能やバックライト４２の発光性能などに基づいて、画像表示時の外光照度と画像輝度の組み合わせに応じた好適な表示輝度レベルが予め設定されているものとし、表示輝度レベル対応表に設定されているものとする。本実施形態では、表示輝度の暗い順に１〜５の５段階のレベル（以下、「表示輝度レベル」とする）が設定されているものとし、図４（ｃ）に示すように、各表示輝度レベル値には、その表示輝度レベルとなる光量でバックライト４２を発光させるために必要な、バックライト４２の動作電流値が対応づけられている。
【００６４】
すなわち、表示輝度設定部３４０は、外光照度レベル対応表と画像輝度レベル対応表を参照することで、センサ信号変換部３１０から取得した外光照度値と平均輝度算出部３３０から取得した画像輝度値のそれぞれに対応するレベルを特定することができ、さらに、表示輝度レベル対応表を参照することで、特定した外光照度と画像輝度のレベルの組み合わせに対応する表示輝度レベルとそのための動作電流値とを特定することができる。表示輝度設定部３４０は、このようにして特定した動作電流値を示す情報を光源ドライバ３６０に送出する。
【００６５】
光源ドライバ３６０は、バックライト４２を駆動制御するドライバ装置であり、表示輝度設定部３４０から供給された動作電流値を示す情報に基づいて、バックライト４２の発光動作を制御する。すなわち、表示輝度設定部３４０が設定した動作電流値の電流をバックライト４２に印加することで、設定された表示輝度となる光量をバックライト４２に発光させる。
【００６６】
本実施形態では、輝度成分抽出部３２０、平均輝度算出部３３０、および、表示輝度設定部３４０が、演算回路などのハードウェアによって構成されるものとするが、これに限られず、例えば、ホストコントローラ１００がプログラムを実行することにより、これらの機能がソフトウェア処理によって実現されるよう構成してもよい。
【００６７】
また、設定記憶部３５０は、専用の記憶装置から構成できる他、例えば、記憶部６０に構成されてもよい。なお、設定記憶部３５０に格納される設定情報を、表示パネル４１やバックライト４２の性能に基づいて予め設定した固定的な情報とする場合、設定記憶部３５０をＲＯＭなどの書換できない記憶装置から構成してもよい。しかしながら、例えば、表示輝度レベル対応表に記録される情報などは、ユーザの嗜好などに応じて変更してもよく、この場合は、書換可能な記憶装置（フラッシュメモリなど）によって設定記憶部３５０が構成されることが望ましい。
【００６８】
上記各構成は本発明を実現するために必要な構成であり、移動体通信端末としての基本機能や付加機能のために必要なその他の構成は必要に応じて備えられているものとする。
【００６９】
このような構成を有する移動体通信端末１の動作を以下説明する。ここでは、ホストコントローラ１００から表示制御部２００に画像データが送出された際に表示制御部２００が実行する画像表示処理を、図５に示すフローチャートを参照して説明する。この画像表示処理は、ホストコントローラ１００から表示制御部２００に画像データが入力されたことを契機に開始される。
【００７０】
処理が開始されると、動作制御部２２０が、入力された画像データの種別（画像種別）を判別する（ステップＳ１０１）。ここでは、入力された画像が、動画像であるか静止画像であるかを判別する。
【００７１】
画像種別を判別すると、動作制御部２２０は、判別した画像種別をメモリライト制御部２４０とメモリリード制御部２５０に通知する。
【００７２】
メモリライト制御部２４０は、動作制御部２２０からの通知に基づいて、ホストインタフェース２１０から供給される画像データを、動画像展開領域２３１または静止画像展開領域２３２のいずれかに展開する（ステップＳ１０２）。すなわち、画像種別が動画像であれば、供給される各フレーム画像のデータを動画像展開領域２３１に展開し、静止画像であれば、供給された画像データを静止画像展開領域２３２に展開する。
【００７３】
メモリリード制御部２５０は、動作制御部２２０からの通知に応じて、動画像展開領域２３１または静止画像展開領域２３２のいずれかから、展開されている画像データを読み出して（ステップＳ１０３）、パネル駆動部２６０とバックライト調光部３００に供給する。ここでは、通知された画像種別が動画像であれば動画像展開領域２３１に展開されている画像データを読み出し、静止画像であれば静止画像展開領域２３２に展開されている画像データを読み出す。
【００７４】
パネル駆動部２６０は、メモリリード制御部２５０から供給された画像データに基づいて表示パネル４１を駆動制御し、当該画像を表示パネル４１に表示させる（ステップＳ１０４）。
【００７５】
ここで、表示画像が動画像である場合、パネル駆動部２６０は、当該動画像の表示にかかるフレーム同期信号を発生させ（ステップＳ１０５）、随時動作制御部２２０に送出する。
【００７６】
上記ステップＳ１０２〜Ｓ１０５の処理と並行して、バックライト４２を発光させるためのバックライト発光処理が、動作制御部２２０とバックライト調光部３００によって実行される（ステップＳ２００）。このバックライト発光処理は、動作制御部２２０が画像種別を判別したことを契機に開始される。バックライト発光処理を、図６に示すフローチャートを参照して説明する。
【００７７】
バックライト発光処理が開始されると、動作制御部２２０は、センサ信号変換部３１０に動作実行を指示する。この指示に基づいて、センサ信号変換部３１０は、外光センサ５０から取得している外光照度を示すセンサ信号をデジタル信号に変換する。ここでは、センサ信号変換部３１０は、外光センサ５０が検出した外光照度値を示すセンサ信号を、動作制御部２２０から指示を受けたタイミングでデジタル信号（以下、「外光照度信号」とする）に変換して、表示輝度設定部３４０に送出する。これにより、動作制御部２２０による指示タイミングで外光照度信号の取得がおこなわれる（ステップＳ２０１）。
【００７８】
表示輝度設定部３４０は、センサ信号変換部３１０が送出した外光照度信号を取得すると、設定記憶部３５０の外光レベル対応表（図４（ａ））を参照し、現在の外光照度に対応する外光レベルを特定する（ステップＳ２０２）。
【００７９】
ここで、上記ステップＳ１０３でのメモリリード制御部２５０の動作により、表示メモリ２３０に展開されている画像データがバックライト調光部３００に入力されると、輝度成分抽出部３２０が当該画像の輝度成分を抽出し（ステップＳ２０３）、平均輝度算出部３３０がその平均輝度を算出して（ステップＳ２０４）、表示輝度設定部３４０に供給する。
【００８０】
表示輝度設定部３４０は、平均輝度算出部３３０が算出した平均輝度値を取得すると、設定記憶部３５０の画像輝度レベル対応表（図４（ｂ））を参照し、表示する画像の輝度に対応する画像輝度レベルを特定する（ステップＳ２０５）。
【００８１】
表示輝度設定部３４０はさらに、設定記憶部３５０の表示輝度レベル対応表（図４（ｃ））を参照し、ステップＳ２０２で特定した外光レベルとステップＳ２０５で特定した画像輝度レベルの組み合わせに対応する動作電流値を特定して（ステップＳ２０６）、光源ドライバ３６０に通知する。
【００８２】
光源ドライバ３６０は、表示輝度設定部３４０から通知された動作電流値でバックライト４２を駆動制御する（ステップＳ２０７）。これにより、表示する画像の輝度と外光照度に基づいて求められる好適な表示輝度となる光量でバックライト４２が発光し、図５に示す画像表示処理のフローに戻る。
【００８３】
そして、画像表示処理では、動作制御部２２０によって、画像表示動作を終了するか否かが判別される（ステップＳ１０６）。ここでは、例えば、ホストコントローラ１００から表示制御部２００への画像データの供給状態やホストコントローラ１００からの指示などに基づいて、画像表示動作を終了するか否かを判別する。
【００８４】
画像表示動作を終了しない場合（ステップＳ１０６：Ｎｏ）、ステップＳ１０２に戻って表示パネル４１上での画像表示を継続するとともに、バックライト４２の調光により表示輝度を制御するための表示輝度制御処理が、動作制御部２２０とバックライト調光部３００により画像表示動作と並行して実行される（ステップＳ３００）。この表示輝度制御処理を、図７に示すフローチャートを参照して説明する。
【００８５】
ここでは、上記ステップＳ１０１で判別した画像種別が動画像である場合（ステップＳ３０１：Ｙｅｓ）、動作制御部２２０は、パネル駆動部２６０でフレーム同期信号が発生すると（ステップＳ３０２：Ｙｅｓ）、そのタイミングでセンサ信号変換部３１０に動作実行を指示する（ステップＳ３０３）。この場合、上述したバックライト発光処理（図６：ステップＳ２０１〜Ｓ２０７）での各処理と同様の動作がバックライト調光部３００によって実行される（ステップＳ２００）。
【００８６】
すなわち、ステップＳ３０３での動作制御部２２０からの指示タイミングで、センサ信号変換部３１０が外光照度信号を表示輝度設定部３４０に送出する。表示輝度設定部３４０は、外光照度信号を取得したタイミングで外光レベルと画像輝度レベルを特定することで、好適な表示輝度を特定する。そして、特定した表示輝度となる動作電流値でバックライト４２を動作させることで、バックライト４２の光量が調整され、好適な表示輝度で画面表示がおこなわれる。
【００８７】
そして、図５に示す画像表示処理のフローに戻る。ここでは、画像表示動作の終了が判別されるまで（ステップＳ１０６：Ｙｅｓ）、表示輝度制御処理（ステップＳ３００）が繰り返し実行される（ステップＳ１０６：Ｎｏ）。すなわち、画像種別が動画像である場合、フレーム同期信号が発生する度に、そのタイミングで表示輝度の調整がおこなわれることになる。この場合、センサ信号変換部３１０によるデジタル変換が当該タイミングによっておこなわれているので、換言すると、フレーム同期信号に基づくサンプリング周期で外光照度の検出信号をサンプリングして取得していることになる。
【００８８】
このように動作することで、動画像を構成する各フレーム画像の画像輝度と外光照度に応じて動的に表示輝度調整がおこなわれ、良好な画面表示を得ることができる。
【００８９】
ここで、上述した図７の表示輝度制御処理フローに戻り、画像種別が静止画像である場合（ステップＳ３０１：Ｎｏ）の動作を説明する。この場合、動作制御部２２０は、少なくとも、フレーム同期信号に基づいた時間間隔（例えば、１／６０〜１／３０秒毎）よりも長い時間間隔（例えば、１〜数秒毎）となる所定の時間が経過した場合に（ステップＳ３０５：Ｙｅｓ）、そのタイミングでセンサ信号変換部３１０に動作実行を指示する（ステップＳ３０３）。この場合も、上述した図６に示したバックライト発光処理（図６：ステップＳ２０１〜Ｓ２０７）の動作と同様の動作がバックライト調光部３００によって実行される（ステップＳ２００）。
【００９０】
そして、上述した動画像の場合と同様に、画像表示処理（図５）において画像表示動作の終了が判別されるまで（ステップＳ１０６：Ｙｅｓ）、表示輝度制御処理（ステップＳ３００）が繰り返し実行される（ステップＳ１０６：Ｎｏ）。すなわち、画像種別が静止画像である場合、動画像表示時のフレーム同期信号に基づく動作タイミングよりも長い時間間隔となるタイミングで表示輝度の調整がおこなわれることになる。
【００９１】
このように、表示制御部２００は、表示輝度の調整を動的におこないながら画像表示をおこなう。そして、動作制御部２２０が、画像表示処理（図５）において画像表示動作の終了を判別すると（ステップＳ１０６：Ｙｅｓ）、表示制御部２００は画像表示処理を終了する。
【００９２】
以上のような動作により、動画像を表示する際は、フレーム画像の表示切替タイミングで発生するフレーム同期信号に基づくタイミングで表示輝度の調整がされるので、フレーム画像単位で画像輝度が変化しうる動画像を表示する場合でも、常に好適な表示輝度で表示することができる。
【００９３】
一方、画像輝度に変化のない静止画像を表示する場合は、少なくとも動画像表示時よりも長い時間間隔で表示輝度調整をおこなうので、表示輝度調整にかかる動作数が動画像表示時よりも少なくなる。このため、動画像表示時よりも少ない消費電力で画像表示をおこなうことができる。この場合であっても、所定時間毎に表示輝度調整をおこなっているので、例えば、移動体通信端末１の移動に伴って外光照度が変化しても、そのときの外光照度に応じた表示輝度に調整され、良好な画面表示を得ることができる。
【００９４】
以上説明したように、本発明を上記実施形態の如く適用することで、表示する画像の種別に応じて動作タイミングを変化させて表示輝度調整をおこなうので、良好な画面表示と消費電力の低減を両立させることができる。
【００９５】
上記実施形態は一例であり、本発明の適用範囲はこれに限られない。すなわち、種々の応用が可能であり、あらゆる実施の形態が本発明の範囲に含まれる。
【００９６】
上記実施形態では、動画像表示時に、各フレーム画像の表示切替タイミングでフレーム同期信号を発生させたが、これに限られず、例えば、画像輝度の変化が大きい場合にフレーム同期信号を発生させるようにしてもよい。
【００９７】
例えば、動画像の符号化にフレーム間差分符号化方式が用いられている場合、前フレームとの変化が少ないフレームに対してはインターフレーム差分符号化がおこなわれ、先頭フレームや前フレームとの変化が大きいフレームにはイントラ符号化がおこなわれている。このような場合に、イントラ符号化がおこなわれたフレームを表示したタイミングでフレーム同期信号を発生させることで、画像輝度の変化が大きいフレームを表示したタイミングで表示輝度調整をおこなうことができる。すなわち、フレーム間での画像変化が少ない部分では画像輝度の変化も少ないと言えるので、フレーム間差分符号化がおこなわれたフレームを表示している間は表示輝度調整をおこなわないことで、動画像表示時も消費電力の低減を図ることができる。
【００９８】
また、上記実施形態では、静止画像表示時には、所定時間毎に表示輝度調整をおこなうものとしたが、静止画像の場合は、画像輝度に変化がないため、表示輝度調整が必要となるのは外光照度に変化が起きた場合である。よって、外光センサ５０による外光照度の検出値を、表示輝度設定部３４０などが常にモニタし、例えば、所定の閾値以上となる変化が検出値に現れた場合に、そのタイミングで表示輝度調整をおこなうようにしてもよい。
【００９９】
なお、上記実施形態では、本発明を移動体通信端末に適用した場合を例示したが、表示輝度の調整をおこなえる表示装置を有しているのであれば、移動体通信端末に限られず、種々の携帯型電子機器（例えば、ＰＤＡ（Personal Digital Assistants：携帯情報端末）、デジタルカメラ、パーソナルコンピュータ、など）に本発明を適用することができる。
【０１００】
また、上記実施形態では、バックライトを用いる液晶表示装置を例示したが、表示輝度を調整できるものであれば、これに限られず、任意の表示装置に本発明を適用することができる。
【０１０１】
さらに、上記実施形態に係る各制御部などの構成は、ハードウェアによって実現可能であることはもとより、ホストコントローラ１００や他の制御部のソフトウェア処理によって実現されてもよい。この場合、上述した各処理を実現するためのプログラムを記憶部６０に格納し、ホストコントローラ１００がこのようなプログラムを実行するようにすればよい。
そして、このようなプログラムが予め組み込まれた表示制御装置として提供可能なことはもとより、上記実施形態にかかる移動体通信端末１として機能させることもできる。
このようなプログラムの提供方法は任意であり、例えば、インタ−ネットなどの通信媒体を介して提供可能の他、例えば、メモリカードなどの記録媒体に格納して配布してもよい。
【図面の簡単な説明】
【０１０２】
【図１】本発明の実施形態にかかる移動体通信端末の構成を示すブロック図である。
【図２】図１に示す表示制御部の構成を示すブロック図である。
【図３】図２に示すバックライト調光部の構成を示すブロック図である。
【図４】図３に示す設定記憶部に格納される情報の例を示す図であり、（ａ）は外光レベル対応表の例を示し、（ｂ）は画像輝度レベル対応表の例を示し、（ｃ）は表示輝度レベル対応表の例を示す。
【図５】本発明の実施形態にかかる画像表示処理を説明するためのフローチャートである。
【図６】図５に示す画像表示処理で実行されるバックライト発光処理を説明するためのフローチャートである。
【図７】図５に示す画像表示処理で実行される表示輝度制御処理を説明するためのフローチャートである。
【符号の説明】
【０１０３】
１…移動体通信端末、１０…通信制御部、１１…アンテナ、１２…スピーカ、１３…マイクロフォン、２０…カメラ部、３０…操作部、４０…表示部、４１…表示パネル、４２…バックライト、５０…外光センサ、６０…記憶部、６１…画像格納領域、６２…プログラム格納領域、１００…ホストコントローラ、２００…表示制御部、２１０…ホストインタフェース、２２０…動作制御部、２３０…表示メモリ、２３１…動画像展開領域、２３２…静止画像展開領域、２４０…メモリライト制御部、２５０…メモリリード制御部、２６０…パネル駆動部、３００…バックライト調光部、３１０…センサ信号変換部、３２０…輝度成分抽出部、３３０…平均輝度算出部、３４０…表示輝度設定部、３５０…設定記憶部、３６０…光源ドライバ
【図１】
0005284571.tif 000002
【図２】
0005284571.tif 000003
【図３】
0005284571.tif 000004
【図４】
0005284571.tif 000005
【図５】
0005284571.tif 000006
【図６】
0005284571.tif 000007
【図７】
0005284571.tif 000008